(57)【要約】【課題】ユーザ同士が離れた場所にいても金銭の授受を行うことができるサービスを提供することを目的とする。【解決手段】本発明に係る金銭授受サーバ１２は、振込側の移動通信端末１１Ａから振込額を示すデータを受信すると共に、受取側の移動通信端末１１Ｂから受取額を示すデータを受信し、振込額と受取額が一致する場合に、金融機関のサーバ１３に対し、振込側の移動通信端末１１Ａに対応する口座から受取側の移動通信端末１１Ｂに対応する口座へ送金を実行させるための情報を出力する、ものである。【選択図】図１
2009151611.tif 000002
【特許請求の範囲】
【請求項１】
振込側の移動通信端末から振込額を示すデータを受信すると共に、受取側の移動通信端末から受取額を示すデータを受信し、前記振込額と前記受取額が一致する場合に、金融機関のサーバに対し、振込側の移動通信端末に対応する口座から受取側の移動通信端末に対応する口座へ送金を実行させるための情報を出力する
金銭授受サーバ。
【請求項２】
インターネット通信網を介して前記移動通信端末と通信を行う
請求項１記載の金銭授受サーバ。
【請求項３】
前記振込側の移動通信端末に対応する口座から、前記受取側の移動通信端末に対応する口座に送金が完了すると、前記振込側の移動通信端末及び受取側の移動通信端末のそれぞれに対して前記口座の残高を通知する
請求項１又は２記載の金銭授受サーバ。
【請求項４】
前記振込側の移動通信端末及び前記受取側の移動通信端末のユーザは、ユーザＩＤ及びパスワードと共に前記振込額及び前記受取額を前記金銭授受サーバに送信し、
前記金銭授受サーバは、前記移動通信端末より受信された前記ユーザＩＤ及び前記パスワードに基づいてユーザ認証を行う
請求項１乃至３のうちいずれか１項に記載の金銭授受サーバ。
【請求項５】
前記送金を実行させるための情報は、前記振込側及び受取側のユーザの金融機関名、口座番号及び、前記振込額を含む
請求項１乃至４のうちいずれか１項に記載の金銭授受サーバ。
【請求項６】
振込側の移動通信端末から振込額を示すデータを受信すると共に、受取側の移動通信端末から受取額を示すデータを受信し、
前記振込額と前記受取額が一致する場合に、金融機関のサーバに対し、前記振込側の移動通信端末に対応する口座から前記受取側の移動通信端末に対応する口座へ送金を実行させるための情報を出力する
金銭授受方法。
【請求項７】
前記金銭授受サーバは、前記振込側の移動通信端末のユーザの口座から、前記受取側の移動通信端末のユーザの口座に送金が完了すると、前記振込側の移動通信端末及び前記受取側の移動通信端のそれぞれに対して前記口座の残高を通知する
請求項６記載の金銭授受方法。
【請求項８】
前記金銭授受サーバは、前記移動通信端末より受信された前記ユーザＩＤ及び前記パスワードに基づいて前記移動通信端末のユーザのユーザ認証を行う
請求項６又は７記載の金銭授受方法。
【請求項９】
前記送金を実行させるための情報は、前記振込側及び受取側のユーザの金融機関名、口座番号及び、前記振込額を含む
請求項６乃至８のうちいずれか１項に記載の金銭授受方法。
【発明の詳細な説明】
【技術分野】
【０００１】
本発明は、携帯電話などの移動通信端末を用いた金銭の授受を行うシステムに用いられる金銭授受サーバ及び金銭授受方法に関する。
【背景技術】
【０００２】
従来より、移動通信端末を用いて金銭の受け渡しができるサービスが知られている。特許文献１には、電子マネーの残高を処理する処理手段を備えた移動通信端末が開示されている。この移動通信端末同士を通信させることにより、振込側のユーザの移動通信端末から受取側のユーザの移動通信端末に金銭の授受を行う。具体的には、振込側の移動通信端末より、受取側の移動通信端末に対して、赤外線通信等により送金する金額を示すデータが送信される。送金される金額を示すデータが送信されると、振込側の移動通信端末の処理手段では、管理している残高を減額すると共に、受取側の移動通信端末の処理手段では、管理している残高を増額する。これにより、移動通信端末を使用するユーザ間で金銭の授受を行うことができる。
【特許文献１】特開２００４−１０２７２６号公報
【発明の開示】
【発明が解決しようとする課題】
【０００３】
しかしながら、特許文献１では、移動通信端末同士が赤外線通信などによって直接通信しなければならない。そのため、振込側の移動通信端末と受取側の移動通信端末が離れた位置にある場合では、ユーザ同士が金銭の授受を行うことはできない。また、振込側の移動通信端末と受取側の移動通信端末が同時に通信を行わなければ、金銭の授受を行うことができない。
【課題を解決するための手段】
【０００４】
本発明に係る金銭授受サーバの一態様によれば、振込側の移動通信端末から振込額を示すデータを受信すると共に、受取側の移動通信端末から受取額を示すデータを受信し、前記振込額と前記受取額が一致する場合に、金融機関のサーバに対し、振込側の移動通信端末に対応する口座から受取側の移動通信端末に対応する口座へ送金を実行させるための情報を出力する、ことを特徴とする。
【０００５】
また、本発明に係る金銭授受方法の一態様によれば、振込側の移動通信端末から振込額を示すデータを受信すると共に、受取側の移動通信端末から受取額を示すデータを受信し、前記振込額と前記受取額が一致する場合に、金融機関のサーバに対し、振込側の移動通信端末に対応する口座から受取側の移動通信端末に対応する口座へ送金を実行させるための情報を出力する、ことを特徴とする。
【発明の効果】
【０００６】
本発明の金銭授受サーバ及び金銭授受システムによれば、場所及び時間が制限されることなく移動通信端末のユーザ同士が金銭の授受を行うことができる。
【発明を実施するための最良の形態】
【０００７】
以下、添付した図面を参照して本発明の実施の形態について説明する。
【０００８】
図１は、本発明の実施の形態に係る金銭授受サーバ１２が用いられるシステム全体の構成例を示す図である。このシステムは、移動通信端末１１Ａ、Ｂ、金銭授受サーバ１２及び金融機関サーバ１３を備えている。移動通信端末１１Ａ、Ｂは、例えば、携帯電話、ＰＨＳ（Ｐｅｒｓｏｎａｌ  Ｈａｎｄｙ  Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）といった通信機器である。ここで、１１Ａは、振込側のユーザＡが使用する移動通信端末を示し、１１Ｂは、受取側のユーザＢが使用する移動通信端末を示す。振込側のユーザＡは、移動通信端末１１Ａを操作することにより金銭授受サーバ１２と通信を行い、受取側の移動通信端末１１ＢのユーザＢに対して送金を行う。また、受取側の移動通信端末１１Ｂは、金銭授受サーバ１２と通信を行うことにより、振込側のユーザＡより金銭を受け取る。
【０００９】
金銭授受サーバ１２は、図２に示すように、ユーザ名、ユーザＩＤ、パスワード、金融機関及び口座番号が対応付けられたテーブル１を備えている。テーブル１は、金銭の授受を行う前に振込側のユーザＡ及び受取側のユーザＢによって予め登録された金銭の授受を行うために必要な情報である。ユーザ名は、個人の名前や会社などの名称である。ユーザＩＤは、ユーザＡ、Ｂを識別するための情報である。パスワードは、ユーザＡ、Ｂによって任意に設定されたものであってもよく、また、金融機関や金銭授受サーバ１２の管理会社によって付与されたものであってもよい。金銭授受サーバ１２は、ユーザＡ、Ｂから金銭の授受を申し込む申込情報を受信すると、このテーブル１を参照することによりユーザＡ、Ｂのユーザ認証を行う。
【００１０】
ここで、振込側の移動通信端末１１ＡのユーザＡが、ユーザＢに対して振込を行う際には、自己のユーザＩＤ、自己のパスワード、受取側のユーザ名及び振込額を振込側の申込情報として金銭授受サーバ１２に送信する。金銭授受サーバ１２は、ユーザＡから金銭の振込を申し込む申込情報を受信すると、ユーザＡのユーザＩＤとパスワードを照合し、ユーザＡのユーザ認証を行う。一方、受取側の移動通信端末１１ＢのユーザＢが金銭を受取る際には、振込側のユーザ名、自己のユーザＩＤ、自己のパスワード、及び受取額を受取側の申込情報として金銭授受サーバ１２に送信する。金銭授受サーバ１２は、ユーザＢから金銭の受取を申し込む申込情報を受信すると、ユーザＢのユーザＩＤとパスワードを照合し、ユーザＢのユーザ認証を行う。なお、移動通信端末１１Ａ、１１Ｂから送信される申込情報は、インターネット通信網を介して金銭授受サーバ１２に送信される。なお、移動通信端末１１Ａ、１１Ｂから送信される申込情報は、所定の暗号化技術が適用されているものとする。
【００１１】
図３に示すように、金銭授受サーバ１２は、振込側の申込情報を記憶するテーブル２を有している。テーブル２には、振込側のユーザＩＤ、受取側のユーザＩＤ及び振込額が対応付けて記憶されている。ここで、金銭授受サーバ１２は、振込側のユーザＡの移動通信端末１１Ａから、ユーザＡのユーザＩＤ（ＩＤＡ）、ユーザＡのパスワード（aaaaa）、振込先のユーザＢのユーザ名（ユーザＢ）、及び振込額（１００００円）が受信される。金銭授受サーバ１２は、ユーザＡのユーザ認証が完了すると、受取側のユーザ名（ユーザＢ）に対応するユーザＩＤ（ＩＤＢ）をテーブル１より抽出する。そして、振込側のユーザＩＤ（ＩＤＡ）、受取側のユーザＩＤ（ＩＤＢ）、及び振込額（１００００円）を対応付けてテーブル２に記憶する。
【００１２】
また、金銭授受サーバ１２は、受取側の申込情報を記憶するテーブル３を有している。テーブル３には、受取側のユーザＩＤ、受取側のユーザＩＤ及び受取額が対応付けて記憶されている。ここで、金銭授受サーバ１２は、受取側のユーザＢの移動通信端末１１Ｂから、振込側のユーザＡのユーザ名（ユーザＡ）、ユーザＢのユーザＩＤ（ＩＤＢ）、ユーザＢのパスワード（bbbbb）、及び受取額（１００００円）が受信される。金銭授受サーバ１２は、ユーザＢのユーザ認証が完了すると、振込側のユーザ名（ユーザＡ）に対応するユーザＩＤ（ＩＤＡ）をテーブル１より抽出する。そして、振込側のユーザＩＤ（ＩＤＡ）、受取側のユーザＩＤ（ＩＤＢ）、及び振込額（１００００円）を対応付けてテーブル３に記憶する。
【００１３】
金銭授受サーバ１２は、振込側のユーザＡと受取側のユーザＢから申込情報を受信すると、テーブル２とテーブル３を参照することで、振込側の申込情報と受取側の申込情報を照合する。具体的には、振込側のユーザＩＤと受取側のユーザＩＤの組み合わせが一致するテーブルをテーブル２、３より抽出し、対応するテーブルの振込額と受取額が一致するか否か照合する。そして、振込額と受取額が一致する場合には、金銭授受サーバ１２は、ユーザＡの口座からユーザＢの口座に送金するための情報を金融機関サーバ１３に出力する。なお、金銭授受サーバ１２と金融機関サーバ１３は、直接接続されていてもよく、また、インターネット通信網等を介して接続されていてもよい。金銭授受サーバ１２は、振込側の申込情報と受取側の申込情報を照合が完了すると、振込側のユーザＡの金融機関名及び口座番号と、受取側のユーザＢの金融機関名及び口座番号、及び振込額を金融機関サーバ１３に送信する。なお、金銭授受サーバ１２と金融機関サーバ１３との通信においても、既存の暗号化技術が適用されることが好ましい。
【００１４】
金融機関サーバ１３は、例えば、銀行やクレジットカード会社等の有する既存のサーバである。金融機関サーバ１３では、それぞれのユーザＡ、Ｂの口座の残高情報が管理されており、一方の口座から他方の口座へ送金を行うことができる。具体的には、金融機関サーバ１３は、それぞれのユーザＡ、Ｂに対応する口座の残高を増減させることで、振込側の口座から受取側の口座に金銭を送金することができる。なお、本実施形態では、振込側のユーザＡの口座を管理する金融機関サーバ１３と、受取側のユーザＢの口座を管理する金融機関サーバ１３を同一の金融機関サーバ１３によって構成しているが、それぞれが異なった金融機関のサーバとしてもよい。振込側と受取側のユーザの金融機関が異なる場合には、振込側のユーザＡの金融機関に対して、ユーザＡの金融機関名及び口座番号、受取側のユーザＢの金融機関名及び口座番号、及び振込額を出力するよう構成すればよい。
【００１５】
次に、このように構成された金銭授受サーバ１２を用いたシステムの金銭授受方法について説明する。図４は、金銭授受サーバ１２を用いたシステムのシーケンス図である。はじめに、この金銭授受サービスを利用するユーザＡ、Ｂは、予め自己のユーザＩＤ、パスワード、金融機関名及び口座番号を登録しておく（Ｓ１）。この情報は、金銭授受サーバ１２のテーブル１に記憶される。そして、ユーザＡがユーザＢに対して送金を行う際には、振込側のユーザＡと受取側のユーザＢが話し合い、授受額を決定する（Ｓ２）。なお、振込側のユーザＡと受取側のユーザＢは、移動通信端末１１Ａ、Ｂに搭載されたメール機能、赤外線通信機能、又はＷＥＢ上のメールフォーム等を利用することで、授受される額を設定することができる。
【００１６】
振込側のユーザＡは、移動通信端末１１Ａを介して、振込側の申込情報である自己のユーザＩＤ、パスワード、受取側のユーザ名、及び振込額を金銭授受サーバ１２に送信する。また、受取側のユーザＢは、自己のユーザＩＤ、パスワード、振込側のユーザ名、及び受取額を金銭授受サーバ１２に送信する。これにより、金銭授受サーバ１２は、振込側の移動通信端末１１Ａから振込側のユーザＡのユーザＩＤ、パスワード、受取側のユーザＢのユーザ名、振込額を受信すると共に、受取側の移動通信端末１１ＢからユーザＢのユーザＩＤ、パスワード、振込側のユーザＡのユーザ名及び受取額を受信する（Ｓ３）。金銭授受サーバ１２は、ユーザＡ、Ｂから入力されたパスワードが、テーブル１に登録されたユーザＡ、ＢのユーザＩＤに対応するパスワードと一致するか否かを判定し（Ｓ４）、それぞれのユーザのユーザ認証を行う。そして、パスワードが異なっていれば、ユーザ認証が行えなかった旨を、移動通信端末１１Ａ、Ｂを介してユーザＡ、Ｂに通知する（Ｓ５）。
【００１７】
ステップ４において、振込側及び受取側のユーザ認証が完了すると、相手のユーザ名に対応するユーザＩＤをテーブル１から抽出し、申込情報としてテーブル２、３に記憶する。ここで、受信された振込側の申込情報はテーブル２に記憶され、受取側の申込情報はテーブル３に記憶される。なお、振込側の申込情報と受取側の申込情報は、どちらが先に金銭授受サーバ１２に送信されてもよい。これにより、テーブル２には、振込側の申込情報として、振込側のユーザＩＤ、受取側のユーザＩＤ、及び振込額が記憶される。また、テーブル３には、受取側の申込情報として、振込側のユーザＩＤ、受取側のユーザＩＤ、及び受取額が記憶される。金銭授受サーバ１２は、テーブル２、３から、振込側のユーザＩＤと、受取側のユーザＩＤとの組み合わせが一致するテーブルを抽出する。すなわち、テーブル２、３から、振込側のユーザＩＤがＩＤＡであり、受取側のユーザＩＤがＩＤＢであるテーブルを抽出する。そして、対応するテーブルの振込額（１００００円）と受取額（１００００円）が一致するか否かを照合する（Ｓ６）。そして、振込額と受取額が一致しない場合には、金額の照合ができなかった旨を、移動通信端末１１Ａ、Ｂを介してユーザＡ、Ｂに通知する（Ｓ７）。
【００１８】
ステップＳ６において、対応するテーブルの振込額と受取額が一致した場合には、金融機関サーバ１３に対して、金銭を授受するための情報である振込側のユーザＡの金融機関名及び口座番号、受取側のユーザＢの金融機関名及び口座番号及び振込額（１００００円）を出力する。金融機関サーバ１３は、金銭授受サーバ１２から金銭を授受するための情報を受け取ると、振込側のユーザＡの口座から受取側のユーザＢの口座に対して送金を行う（Ｓ９）。そして、金融機関サーバ１３によってユーザＡの口座からユーザＢの口座への送金が完了すると、それぞれのユーザＡ、Ｂに対して口座の残高を通知する（Ｓ１０）。具体的には、ユーザＡ、Ｂ間において授受された金額が１００００円であった場合には、ユーザＡには、金銭の授受前の残高から１００００円を減額した残高が通知され、ユーザＢには金銭の授受前の残高かに１００００円増額した残高が通知される。
【００１９】
このように、本実施形態に係る金銭授受サーバによれば、移動通信端末１１Ａ、Ｂがインターネット通信網を介して金銭授受サーバ１２と通信を行うため、金銭の授受を行うユーザ同士が離れた場所にいてもそれぞれが移動通信端末１１Ａ、Ｂを用いて金銭の授受を行うことができる。また、振込側のユーザＡと受取側のユーザＢが別々に金銭授受サーバ１２に対して申込情報を登録するため、時間に制限されることなく都合のいい時間に申込情報を登録することができる。
【００２０】
また、本実施形態によれば、既存の移動通信端末１１Ａ、Ｂ及び金融機関サーバ１３を利用することができるため、本実施形態を実施するために金銭授受サーバ１２を設けるだけでよい。そのため、簡易な構成で本実施形態を実施することができる。
【００２１】
尚、本発明は、上記した実施の形態に限定されるものではなく、本発明の要旨を逸脱しない範囲内において種々変更を加え得ることは勿論である。本実施形態の説明においては、金銭授受サーバ１２は、テーブル２、３を参照し、振込側のユーザＩＤと受取側のユーザＩＤとの組み合わせが一致するテーブルを抽出して照合を行っているが、ユーザＡとユーザＢとの間で１つの取引番号を取り決め、それぞれの申込情報として取引番号を金銭授受サーバ１２に送信するように構成することもできる。金銭授受サーバ１２は、ユーザＡ、Ｂより入力された取引番号を参照することで、テーブル２、３において対応するテーブルを容易に抽出することができる。また、振込側及び受取側の相手を指定するためのユーザ名の代わりに、相手のユーザの使用する携帯電話番号など、相手を識別できる情報を代用してもよい。
【図面の簡単な説明】
【００２２】
【図１】本発明の実施の形態に係る金銭授受サーバ１２が適用されるシステムの全体構成例を示す図である。
【図２】本発明の実施の形態に係る金銭授受サーバ１２の有するテーブル１を示す図である。
【図３】本発明の実施の形態に係る金銭授受サーバ１２の有するテーブル２、３を示す図である。
【図４】本発明の実施の形態に係る金銭授受サーバ１２が適用されるシステムのシーケンス図である。
【符号の説明】
【００２３】
１１Ａ  振込側の移動通信端末
１１Ｂ  受取側の移動通信端末
１２  金銭授受サーバ
１３  金融機関サーバ
【図１】
2009151611.tif 000003
【図２】
2009151611.tif 000004
【図３】
2009151611.tif 000005
【図４】
2009151611.tif 000006